(57)【特許請求の範囲】
【請求項１】
抵抗器を含む抵抗器群が複数設けられた抵抗部と、
前記抵抗器群を冷却する冷却ファンを有する冷却部と、
第１領域と第２領域を有し、前記第１領域に前記冷却部を収容し、前記第２領域に前記抵抗部を収容するフレームと、
前記フレームに着脱可能であり、負荷試験を行うために、前記複数の抵抗器群のうち、電力供給を行うものを選択するために使用される抵抗切替スイッチを含む操作部とを備えた負荷試験装置であって、
前記負荷試験装置は、前記冷却部と前記抵抗部が水平方向に配置されるように設置した状態で前記負荷試験を行うことと、前記冷却部と前記抵抗部が上下方向に配置されるように設置した状態で前記負荷試験を行うことが可能であり、
前記冷却部から前記抵抗部に送り込まれた冷却風の排気は、前記フレームの後面から行われ、
前記操作部は、前記フレームの前記第１領域であって、前記後面と平行な前面に取り付けられる、若しくは、前記フレームの前記第１領域であって、前記前面に垂直な上面と下面と側面のいずれかに取り付けられ、
前記操作部が前記上面と前記下面と前記側面のいずれかに取り付けられた場合には、少なくとも前記前面の開口を使って前記冷却風の吸気が行われ、
前記操作部が前記前面に取り付けられた場合には、前記第１領域の前記上面の開口と前記下面と前記側面の開口の少なくとも一つを使って前記冷却風の前記吸気が行われることを特徴とする負荷試験装置。
【請求項２】
コンピューターサーバーを冷却する空調設備の負荷試験である第１負荷試験を行う場合には、前記冷却部と前記抵抗部が前記水平方向に配置されるように前記負荷試験装置が設置され、前記抵抗器群には商用電源からの電力が供給され、前記フレームの側面が前記コンピューターサーバーを保持するサーバーラックに取り付けられ、前記操作部は前記フレームの前記前面に取り付けられ、前記第１領域の前記上面の開口と前記下面の開口の少なくとも一つと前記前面の開口を使って前記吸気が行われ、前記フレームの前記後面から水平方向に前記排気が行われることを特徴とする請求項１に記載の負荷試験装置。
【請求項３】
前記第１領域の一部が前記サーバーラックから突出するように、前記負荷試験装置は前記サーバーラックに取り付けられるものであり、
前記商用電源とケーブル接続する端子接続部は、前記第１領域であって、前記フレームの前記側面における前記サーバーラックに取り付けられる位置よりも前記前面に近い側に配置されることを特徴とする請求項２に記載の負荷試験装置。
【請求項４】
前記前面には、コの字型形状の取っ手が２以上設けられることを特徴とする請求項３に記載の負荷試験装置。
【請求項５】
発電機若しくはバッテリーを含む試験対象電源の負荷試験である第２負荷試験を行う場合には、前記冷却部が下で前記抵抗部が上に配置されるように前記負荷試験装置が設置され、前記取っ手は、前記前面と前記負荷試験装置を設置する設置面の間に一定の間隔を設けるために使用され、前記抵抗器群には前記試験対象電源からの電力が供給され、前記操作部は前記フレームの前記上面若しくは前記下面に取り付けられ、前記第１領域の前記上面の開口と前記下面の開口の少なくとも一つと前記前面の開口を使って前記吸気が行われ、前記後面から上方向に前記排気が行われることを特徴とする請求項４に記載の負荷試験装置。
【請求項６】
前記前面には、キャスターが４以上設けられ、
発電機若しくはバッテリーを含む試験対象電源の負荷試験である第２負荷試験を行う場合には、前記冷却部が下で前記抵抗部が上に配置されるように前記負荷試験装置が設置され、前記キャスターは、前記前面と前記負荷試験装置を設置する設置面の間に一定の間隔を設けるために使用され、前記抵抗器群には前記試験対象電源からの電力が供給され、前記操作部は前記フレームの前記上面若しくは前記下面に取り付けられ、前記第１領域の前記上面の開口と前記下面の開口の少なくとも一つと前記前面の開口を使って前記吸気が行われ、前記後面から上方向に前記排気が行われることを特徴とする請求項３に記載の負荷試験装置。
【請求項７】
前記冷却ファンは、着脱可能な状態で、前記第１領域に取り付けられるものであり、
少なくとも前記操作部を前記上面や前記下面から外した状態で、前記冷却ファンの着脱が行われることを特徴とする請求項６に記載の負荷試験装置。
【請求項８】
２台以上の負荷試験装置と、
前記２台以上の負荷試験装置と無線通信を行う通信機器とを備え、
前記負荷試験装置のそれぞれは、抵抗器を含む抵抗器群が複数設けられた抵抗部と、前記抵抗器群を冷却する冷却ファンを有する冷却部と、第１領域と第２領域を有し、前記第１領域に前記冷却部を収容し、前記第２領域に前記抵抗部を収容するフレームと、前記フレームに着脱可能であり、負荷試験を行うために、前記複数の抵抗器群のうち、電力供給を行うものを選択するために使用される抵抗切替スイッチを含む操作部と、前記通信機器と無線通信を行う通信部とを有するものであり、
前記負荷試験装置のそれぞれは、前記冷却部と前記抵抗部が水平方向に配置されるように設置した状態で前記負荷試験を行うことと、前記冷却部と前記抵抗部が上下方向に配置されるように設置した状態で前記負荷試験を行うことが可能であり、
前記負荷試験装置のそれぞれにおいて、前記冷却部から前記抵抗部に送り込まれた冷却風の排気は、前記フレームの後面から行われ、
前記負荷試験装置のそれぞれにおいて、前記操作部は、前記フレームの前記第１領域であって、前記後面と平行な前面に取り付けられる、若しくは、前記フレームの前記第１領域であって、前記前面に垂直な上面と下面と側面のいずれかに取り付けられ、
前記負荷試験装置のそれぞれにおいて、前記操作部が前記上面と前記下面と前記側面のいずれかに取り付けられた場合には、少なくとも前記前面の開口を使って前記冷却風の吸気が行われ、
前記負荷試験装置のそれぞれにおいて、前記操作部が前記前面に取り付けられた場合には、前記第１領域の前記上面の開口と前記下面と前記側面の開口の少なくとも一つを使って前記冷却風の前記吸気が行われ、
前記負荷試験装置のそれぞれにおける前記通信部は、前記通信機器から、前記操作部のスイッチを動作させる指示に関する信号を受信することを特徴とする負荷システム。
【発明の詳細な説明】
【技術分野】
【０００１】
本発明は、負荷試験装置などに関する。
【背景技術】
【０００２】
従来、特許文献１のように、発電機の負荷試験を行う乾式負荷試験装置が提案されている。
【先行技術文献】
【特許文献】
【０００３】
【特許文献１】特開２０１０−２５７５２号公報
【発明の概要】
【発明が解決しようとする課題】
【０００４】
しかしながら、通常、負荷試験装置が設置される方向は１種類で、複数の方向に設置することが考慮されていない。
【０００５】
したがって本発明の目的は、複数の方向に設置することを考慮した負荷試験装置などを提供することである。
【課題を解決するための手段】
【０００６】
本発明に係る負荷試験装置は、抵抗器を含む抵抗器群が複数設けられた抵抗部と、抵抗器群を冷却する冷却ファンを有する冷却部と、第１領域と第２領域を有し、第１領域に冷却部を収容し、第２領域に抵抗部を収容するフレームと、フレームに着脱可能であり、負荷試験を行うために、複数の抵抗器群のうち、電力供給を行うものを選択するために使用される抵抗切替スイッチを含む操作部とを備えた負荷試験装置であって、負荷試験装置は、冷却部と抵抗部が水平方向に配置されるように設置した状態で負荷試験を行うことと、冷却部と抵抗部が上下方向に配置されるように設置した状態で負荷試験を行うことが可能であり、冷却部から抵抗部に送り込まれた冷却風の排気は、フレームの後面から行われ、操作部は、フレームの第１領域であって、後面と平行な前面に取り付けられる、若しくは、フレームの第１領域であって、前面に垂直な上面と下面と側面のいずれかに取り付けられ、操作部が上面と下面と側面のいずれかに取り付けられた場合には、少なくとも前面の開口を使って冷却風の吸気が行われ、操作部が前面に取り付けられた場合には、第１領域の上面の開口と下面と側面の開口の少なくとも一つを使って冷却風の吸気が行われる。
【０００７】
操作部を、１箇所だけでなく、少なくとも２箇所以上（前面と上面（若しくは下面、側面））に着脱可能な状態で取り付けることが出来る。
このため、抵抗部と冷却部を水平方向に配置されるように負荷試験装置が設置されても、上下方向に配置されるように負荷試験装置が設置されても、操作を容易に行うことが可能になる。
【０００８】
好ましくは、コンピューターサーバーを冷却する空調設備の負荷試験である第１負荷試験を行う場合には、冷却部と抵抗部が水平方向に配置されるように負荷試験装置が設置され、抵抗器群には商用電源からの電力が供給され、フレームの側面がコンピューターサーバーを保持するサーバーラックに取り付けられ、操作部はフレームの前面に取り付けられ、第１領域の上面の開口と下面の開口の少なくとも一つと前面の開口を使って吸気が行われ、フレームの後面から水平方向に排気が行われる。
【０００９】
第１負荷試験では、コンピューターサーバーが設置されるサーバーラックに負荷試験装置を取り付け、当該コンピューターサーバーを駆動するための商用電源を使って、負荷試験装置の抵抗部に電力供給を行い、当該コンピューターサーバーを駆動させている時と発熱量などが同等の状況下で、当該コンピューターサーバーが設置された部屋の空調装置を動作させ、当該空調装置の冷却能力が十分であるかどうかを確認する。
【００１０】
このとき、コンピューターサーバーと同じように、サーバーラックに負荷試験装置が設置されるので、実際のコンピューターサーバーを動作させている環境に近い状態で空調装置の負荷試験（第１負荷試験）を行うことが可能になる。
【００１１】
さらに好ましくは、第１領域の一部がサーバーラックから突出するように、負荷試験装置はサーバーラックに取り付けられるものであり、商用電源とケーブル接続する端子接続部は、第１領域であって、フレームの側面におけるサーバーラックに取り付けられる位置よりも前面に近い側に配置される。
【００１２】
商用電源とのケーブル接続を行う端子接続部は、フレームの側面におけるサーバーラックに取り付けられる位置よりも前面に近い側に配置され、サーバーラックから突出した位置にあるため、負荷試験装置をサーバーラックに取り付けた後でも、容易に当該ケーブル接続を行うことが可能になる。
【００１３】
さらに好ましくは、前面には、コの字型形状の取っ手が２以上設けられる。
【００１４】
さらに好ましくは、発電機若しくはバッテリーを含む試験対象電源の負荷試験である第２負荷試験を行う場合には、冷却部が下で抵抗部が上に配置されるように負荷試験装置が設置され、取っ手は、前面と負荷試験装置を設置する設置面の間に一定の間隔を設けるために使用され、抵抗器群には試験対象電源からの電力が供給され、操作部はフレームの上面若しくは下面に取り付けられ、第１領域の上面の開口と下面の開口の少なくとも一つと前面の開口を使って吸気が行われ、後面から上方向に排気が行われる。
【００１５】
また、好ましくは、前面には、キャスターが４以上設けられ、発電機若しくはバッテリーを含む試験対象電源の負荷試験である第２負荷試験を行う場合には、冷却部が下で抵抗部が上に配置されるように負荷試験装置が設置され、キャスターは、前面と負荷試験装置を設置する設置面の間に一定の間隔を設けるために使用され、抵抗器群には試験対象電源からの電力が供給され、操作部はフレームの上面若しくは下面に取り付けられ、第１領域の上面の開口と下面の開口の少なくとも一つと前面の開口を使って吸気が行われ、後面から上方向に排気が行われる。
【００１６】
また、操作部は、前面だけでなく、他の面（ここでは、上面など）にも取り付け可能であり、横方向に排気させる設置で負荷試験を行うだけでなく、上方向に排気させる設置で負荷試験（第２負荷試験）を行うことも可能になる。
このとき、取っ手若しくはキャスターによって、フレームの底面を構成する前面と負荷試験装置の設置面との間から冷却風を取り入れる隙間を設けることが可能になる。
【００１７】
さらに好ましくは、冷却ファンは、着脱可能な状態で、第１領域に取り付けられるものであり、少なくとも操作部を上面や下面から外した状態で、冷却ファンの着脱が行われる。
【００１８】
冷却部の冷却ファンや、操作部を負荷試験装置のフレームなどと別体で持ち運びが可能になり、負荷試験を行う現地で冷却部や操作部をフレームなどに取り付けることが可能になる。
特に、操作部をフレームから外した状態（少なくとも、操作部をフレームの上面や下面から外した状態）で、冷却部の冷却ファンの着脱が容易に行える。
【００１９】
本発明に係る負荷システムは、２台以上の負荷試験装置と、２台以上の負荷試験装置と無線通信を行う通信機器とを備え、負荷試験装置のそれぞれは、抵抗器を含む抵抗器群が複数設けられた抵抗部と、抵抗器群を冷却する冷却ファンを有する冷却部と、第１領域と第２領域を有し、第１領域に冷却部を収容し、第２領域に抵抗部を収容するフレームと、フレームに着脱可能であり、負荷試験を行うために、複数の抵抗器群のうち、電力供給を行うものを選択するために使用される抵抗切替スイッチを含む操作部と、通信機器と無線通信を行う通信部とを有するものであり、負荷試験装置のそれぞれは、冷却部と抵抗部が水平方向に配置されるように設置した状態で負荷試験を行うことと、冷却部と抵抗部が上下方向に配置されるように設置した状態で負荷試験を行うことが可能であり、負荷試験装置のそれぞれにおいて、冷却部から抵抗部に送り込まれた冷却風の排気は、フレームの後面から行われ、負荷試験装置のそれぞれにおいて、操作部は、フレームの第１領域であって、後面と平行な前面に取り付けられる、若しくは、フレームの第１領域であって、前面に垂直な上面と下面と側面のいずれかに取り付けられ、負荷試験装置のそれぞれにおいて、操作部が上面と下面と側面のいずれかに取り付けられた場合には、少なくとも前面の開口を使って冷却風の吸気が行われ、負荷試験装置のそれぞれにおいて、操作部が前面に取り付けられた場合には、第１領域の上面の開口と下面と側面の開口の少なくとも一つを使って冷却風の吸気が行われ、負荷試験装置のそれぞれにおける通信部は、通信機器から、操作部のスイッチを動作させる指示に関する信号を受信する。
【発明の効果】
【００２０】
以上のように本発明によれば、複数の方向に設置することを考慮した負荷試験装置などを提供することができる。
【図面の簡単な説明】
【００２１】
【図１】本実施形態における負荷試験装置であって保護カバーなどが取り付けられる前の斜視図である。
【図２】負荷試験装置の構成を示す模式図である。
【図３】操作部の斜視図である。
【図４】第１負荷試験用に保護カバーなどが取り付けられる前の負荷試験装置の斜視図である。
【図５】第１負荷試験用に保護カバーなどが取り付けられた後の負荷試験装置の斜視図である。
【図６】サーバーラックに取り付けられた状態の負荷試験装置の斜視図である。
【図７】第２負荷試験用に保護カバーなどが取り付けられる前の負荷試験装置の斜視図である。
【図８】第２負荷試験用に保護カバーなどが取り付けられた後の負荷試験装置の斜視図である。
【図９】第２負荷試験用に保護カバーなどが取り付けられた後の負荷試験装置であって、図８の取っ手に代えてキャスターが取り付けられたものの斜視図である。
【図１０】負荷システムの構成を示す模式図である。
【発明を実施するための形態】
【００２２】
以下、本実施形態について、図を用いて説明する。本実施形態における乾式の負荷試験装置１は、フレーム１０、抵抗部２０、冷却部３０、接続切替部４０、設置部材５０を備える（図１〜図９）。
【００２３】
方向を説明するために、抵抗部２０の抵抗器Ｒｅが延びる方向をｘ方向、ｘ方向と垂直で、抵抗部２０と冷却部３０が並べられる方向をｙ方向、ｘ方向とｙ方向に垂直な方向をｚ方向として説明する。
第１実施形態（コンピューターサーバーを冷却する空調設備の負荷試験である第１負荷試験、図１〜図６参照）では、ｘ方向とｙ方向が水平方向で、ｚ方向が鉛直方向となる。
第２実施形態（発電機やバッテリーの負荷試験である第２負荷試験、図１〜図３、図７〜図９参照）では、ｘ方向とｚ方向が水平方向で、ｙ方向が鉛直方向となる。
【００２４】
フレーム１０は、外形が直方体を形成し、当該直方体におけるｘ方向と垂直なｙｚ平面の一方を第１側面１０ａ、他方を第２側面１０ｂとし、当該直方体におけるｚ方向と垂直なｘｙ平面の一方を上面１０ｃ、他方を下面１０ｄとし、当該直方体におけるｙ方向と垂直なｘｚ平面の一方を前面１０ｅ、他方を後面１０ｆとし、前面１０ｅに近い側を第１領域１１、後面１０ｆに近い側を第２領域１２とする。
第１実施形態では、下面１０ｄが底面となり、第２実施形態では、前面１０ｅが底面となる。
【００２５】
フレーム１０は、第１領域１１に冷却部３０を収容し、第２領域１２に抵抗部２０を収容する。
フレーム１０の第１領域１１における第１側面１０ａや第２側面１０ｂには、第１端子接続部４１、第２端子接続部４２、リレー部４５が設けられる。
特に、第１端子接続部４１と第２端子接続部４２は、後述するラック取り付け金具５１が取り付けられる位置よりも前面１０ｅに近い側に設けられる。
操作部４７は、フレーム１０の前面１０ｅ、若しくは、フレーム１０の第１領域１１における上面１０ｃに着脱可能な状態で取り付けられる。
【００２６】
フレーム１０の第２領域１２における第１側面１０ａと第２側面１０ｂと上面１０ｃと下面１０ｄには、抵抗部２０を構成する抵抗器Ｒｅや、抵抗器Ｒｅの端子に接続されたケーブルや短絡バーや、抵抗器Ｒｅを保持する保持板２１を保護するカバー１３（第１側面カバー１３ａ、第２側面カバー１３ｂ、上面カバー１３ｃ、下面カバー１３ｄ）が設けられる。
カバー１３は、鉄やアルミニウムなどの導電性材料で構成される。
【００２７】
また、冷却部３０からの冷風を抵抗部２０に当て、後面１０ｆから排気させるために、少なくとも、前面１０ｅ、後面１０ｆ、第１領域１１の上面１０ｃと下面１０ｄは開口する。
吸気を効率良く行うために、第１側面１０ａや第２側面１０ｂについても、第１端子接続部４１などの部材が取り付けられた領域以外に開口する領域が設けられるのが望ましい。
【００２８】
第１負荷試験の場合には、主に、第１領域１１の上面１０ｃと下面１０ｄの開口と、前面１０ｅの開口における操作部４７が取り付けられていない領域を使って、冷却部３０の冷却ファンの吸気が行われ、後面１０ｆの開口を使って、冷却部３０の冷却ファンの排気が行われる。
【００２９】
第２負荷試験の場合には、主に、第１領域１１の上面１０ｃや下面１０ｄの開口における操作部４７が取り付けられていない領域と、前面１０ｅの開口を使って、冷却部３０の冷却ファンの吸気が行われ、後面１０ｆの開口を使って、冷却部３０の冷却ファンの排気が行われる。
【００３０】
フレーム１０の第１領域１１における第１側面１０ａと第２側面１０ｂには、ラック取り付け金具５１が取り付けられ、当該ラック取り付け金具５１を介して、負荷試験装置１が、サーバーラック９０に取り付けられる。
当該サーバーラック９０は、通常はコンピューターサーバーを保持するものであり、第１負荷試験の際には、当該コンピューターサーバーに代えて、負荷試験装置１を保持する。
【００３１】
負荷試験装置１をサーバーラック９０に取り付けるため、フレーム１０の幅（第１側面１０ａと第２側面１０ｂの距離）は、サーバーラック９０の幅よりも短い。
特に、サーバーラック９０が１９インチラックの場合には、フレーム１０の第１側面１０ａに取り付けたラック取り付け金具５１と、フレーム１０の第２側面１０ｂに取り付けたラック取り付け金具５１の幅（サーバーラック９０に取り付ける穴と穴の距離）が１９インチ（約４８０ｍｍ）となるように、フレーム１０の幅などが設定される。
【００３２】
抵抗部２０は、ｘ方向に平行な棒状の抵抗器Ｒｅがｚ方向に所定の間隔を空けて複数本並べられた抵抗器列が、ｙ方向に複数段並べられたもので、負荷試験（第１負荷試験、第２負荷試験）を行うために用いられる。
コンピューターサーバーを冷却する空調設備の第１負荷試験（第１実施形態）では、第１端子接続部４１は、当該コンピューターサーバーに電力供給するものと同じ商用電源と接続され、抵抗器Ｒｅは当該商用電源からの電力供給を受ける。
発電機やバッテリーの第２負荷試験（第２実施形態）では、第１端子接続部４１は、試験対象電源（発電機やバッテリー）と接続され、抵抗器Ｒｅは当該試験対象電源からの電力供給を受ける。
【００３３】
本実施形態では、抵抗器Ｒｅは、ｚ方向に４本並べられた抵抗器列が、ｙ方向に６段並べられる。ただし、各抵抗器列に並べられる抵抗器Ｒｅの本数や、抵抗器列が積み重ねられる段数は、これに限るものではない。
【００３４】
抵抗部２０を構成する抵抗器Ｒｅにおいて、近接する複数の抵抗器Ｒｅが直列又は並列に接続されたものを、１つの抵抗器群とし、商用電源（第１実施形態）若しくは試験対象電源（第２実施形態）からの電圧印加を行う抵抗器群の数を変えながら、負荷試験が行われる。
【００３５】
抵抗部２０は、第１抵抗器群Ｇ１〜第８抵抗器群Ｇ８を有する。ただし、抵抗器群Ｇの数は上述の構成に限るものではない。
【００３６】
抵抗器Ｒｅの端子は、他の抵抗器Ｒｅの端子と短絡バーで接続されたり、ケーブルを介して第１端子接続部４１やリレー部４５に接続されたりする。
ただし、図６における第１端子接続部４１と商用電源を接続するケーブルや第２端子接続部４２と商用電源を接続するケーブル、図８における第１端子接続部と試験対象電源を接続するケーブルや第２端子接続部４２と商用電源を接続するケーブルを除き、当該短絡バーや当該ケーブルの図示は省略している。
【００３７】
抵抗器Ｒｅにおける端子と導通しない箇所が、当該保持板２１を構成する壁に保持される。
【００３８】
抵抗器Ｒｅの端子であって、保持板２１を構成する壁から突出して露出する部分には、ゴムなど絶縁部材で構成されたキャップ（不図示）が被せられるのが望ましい。
【００３９】
冷却部３０による冷却を効率良く行うために、抵抗器列を構成する抵抗器Ｒｅと当該抵抗器Ｒｅとｚ方向に隣接する抵抗器Ｒｅの中間の位置に、ｙ方向に隣接する抵抗器列の抵抗器Ｒｅが配置されるように、各抵抗器列の抵抗器Ｒｅが配列される。
【００４０】
冷却部３０は、外部から取り入れた空気を使って、抵抗部２０の抵抗器Ｒｅを冷却する冷却ファンを有する。
当該冷却ファンは、商用電源（負荷試験装置駆動用電源）で駆動される（図２参照）。
【００４１】
冷却ファンは、ネジ止めなど、着脱可能な状態で、フレーム１０の第１領域１１に取り付けられるのが望ましい。
この場合には、冷却部３０の冷却ファンや、操作部４７を負荷試験装置１のフレーム１０などと別体で持ち運びすることが可能になり、負荷試験を行う現地で冷却部３０や操作部４７をフレーム１０などに取り付けることが可能になる。
特に、操作部４７をフレーム１０から外した状態（少なくとも、操作部４７をフレーム１０の上面１０ｃや下面１０ｄから外した状態）で、冷却部３０の冷却ファンの着脱が容易に行える。
【００４２】
負荷試験装置１は、冷却部３０と抵抗部２０が水平方向に配置されるように設置した状態で負荷試験（第１実施形態）を行うことと、冷却部３０と抵抗部２０が上下方向に配置されるように設置した状態で負荷試験（第２実施形態）を行うことが可能である。
冷却部３０から抵抗部２０に送り込まれた冷却風の排気は、フレーム１０の後面１０ｆから行われる。
【００４３】
接続切替部４０は、第１端子接続部４１、第２端子接続部４２、リレー部４５、操作部４７を有する（図２〜図４、図７参照）。
【００４４】
第１端子接続部４１は、商用電源（第１実施形態）若しくは発電機などの試験対象電源（第２実施形態）とケーブル接続するための端子で、第１端子接続部４１を介して、商用電源（第１実施形態）若しくは試験対象電源（第２実施形態）と、抵抗部２０を構成する抵抗器群（第１抵抗器群Ｇ１〜第８抵抗器群Ｇ８）とが接続可能な状態にされる。
【００４５】
第１端子接続部４１と、商用電源（第１実施形態）若しくは試験対象電源（第２実施形態）とのケーブル接続は、第１側面１０ａの開口でラック取り付け金具５１と前面１０ｅの間を介して行われる（図６参照）。
第１端子接続部４１とリレー部４５との間、若しくは第１端子接続部４１には、ＶＣＢ（Vacuum Circuit Breaker）などの遮断器が設けられるのが望ましい。
【００４６】
第２端子接続部４２は、商用電源とケーブル接続するための端子で、第２端子接続部４２を介して、商用電源と、冷却部３０の冷却ファンやリレー部４５のリレーや操作部４７とが接続可能な状態にされる。
【００４７】
第２端子接続部４２と、商用電源とのケーブル接続は、第１側面１０ａの開口でラック取り付け金具５１と前面１０ｅの間を介して行われる（図６参照）。
第２端子接続部４２とリレー部４５との間、若しくは第２端子接続部４２には、ＭＣＣＢＶＣＢ（Molded Case Circuit Breaker）などの遮断器が設けられるのが望ましい。
【００４８】
リレー部４５は、操作部４７のスイッチの操作に対応して、冷却部３０への電力供給のオンオフ制御を行うリレー（冷却ファンリレーＲＣ）と、抵抗部２０を構成する抵抗器群（第１抵抗器群Ｇ１〜第８抵抗器群Ｇ８）それぞれへの電力供給のオンオフ制御を行うリレー（第１リレーＲ１〜第８リレーＲ８）を有する。
リレー部４５を構成するリレー（冷却ファンリレーＲＣ、第１リレーＲ１〜第８リレーＲ８）は、商用電源（負荷試験装置駆動用電源）で駆動される（図２、図３参照）。
【００４９】
操作部４７は、電源スイッチ４７ａ、冷却ファンスイッチ４７ｂ、抵抗切替スイッチ４７ｃ、表示部４７ｄを有する（図３参照）。
【００５０】
電源スイッチ４７ａは、スライド式（若しくはトグル式若しくは押しボタン式）の操作スイッチで、負荷試験装置１のオンオフを選択するために使用される。
電源スイッチ４７ａがオン状態にされると、第１端子接続部４１の遮断器若しくは不図示のリレーがオン状態にされて、リレー部４５の第１リレーＲ１〜第８リレーＲ８に、第１端子接続部４１を介して負荷試験装置１に接続された商用電源（第１実施形態）若しくは試験対象電源（第２実施形態）からの電流が流れうる状態にされる。
また、電源スイッチ４７ａがオン状態にされると、第２端子接続部４２の遮断器若しくは不図示のリレーがオン状態にされて、リレー部４５の冷却ファンリレーＲＣや操作部４７に、第２端子接続部４２を介して負荷試験装置１に接続された商用電源からの電流が流れうる状態にされる。
【００５１】
冷却ファンスイッチ４７ｂは、スライド式（若しくはトグル式若しくは押しボタン式）の操作スイッチで、冷却部３０の冷却ファンのオンオフを選択する（モード切替する）ために使用される。
冷却ファンスイッチ４７ｂがオン状態にされると、冷却ファンリレーＲＣがオン状態にされて、冷却部３０の冷却ファンに、第２端子接続部４２を介して負荷試験装置１に接続された商用電源からの電流が流れうる状態にされる。
【００５２】
抵抗切替スイッチ４７ｃ（第１抵抗切替スイッチ４７ｃ１〜第８抵抗切替スイッチ４７ｃ８）は、スライド式（若しくはトグル式若しくは押しボタン式）の操作スイッチで、第１抵抗器群Ｇ１〜第８抵抗器群Ｇ８それぞれのリレー（第１リレーＲ１〜第８リレーＲ８）のオンオフ制御を行うためのスイッチである。
第１抵抗切替スイッチ４７ｃ１がオン状態にされると、第１抵抗器群Ｇ１のリレー（第１リレーＲ１）がオン状態にされて、第１抵抗器群Ｇ１に、第１端子接続部４１を介して負荷試験装置１に接続された商用電源（第１実施形態）若しくは試験対象電源（第２実施形態）からの電流が流れうる状態にされる。
第２抵抗切替スイッチ４７ｃ２〜第８抵抗切替スイッチ４７ｃ８も、同様で、オン状態にされると、対応する抵抗器群のリレーがオン状態にされて、当該抵抗器群に、第１端子接続部４１を介して負荷試験装置１に接続された商用電源（第１実施形態）若しくは試験対象電源（第２実施形態）からの電流が流れうる状態にされる。
【００５３】
表示部４７ｄは、負荷試験装置１の動作状態を示す表示装置で、正常動作中に点灯する第１点灯部４７ｄ１、警告時に点灯する第２点灯部４７ｄ２、異常による運転停止時に点灯する第３点灯部４７ｄ３を有する。
【００５４】
操作部４７は、フレーム１０の前面１０ｅ（第１実施形態）や、フレーム１０の第１領域１１における上面１０ｃ（第２実施形態、下面１０ｄでも良い）に着脱可能な状態で取り付けられる。
操作部４７のフレーム１０への取り付けは、筐体４７１に設けられた第１取り付け穴４９ａを介したネジ止め等により行われる。
【００５５】
操作部４７は、フレーム１０の第１領域１１であって、後面１０ｆと平行な前面１０ｅに取り付けられる（第１実施形態）、若しくは、フレーム１０の第１領域１１であって、前面１０ｅに垂直な上面１０ｃと下面１０ｄと側面（第１側面１０ａ、第２側面１０ｂ）のいずれかに取り付けられる。
【００５６】
操作部４７が上面１０ｃの開口と下面１０ｄと側面（第１側面１０ａ、第２側面１０ｂ）のいずれかに取り付けられた場合には、少なくとも前面１０ｅの開口を使って冷却風の吸気が行われる（第１実施形態）。
操作部４７が前面１０ｅに取り付けられた場合には、第１領域１１の上面１０ｃの開口と下面１０ｄと側面（第１側面１０ａ、第２側面１０ｂ）の開口の少なくとも一つを使って冷却風の吸気が行われる（第２実施形態）。
【００５７】
本実施形態では、操作部４７を、１箇所だけでなく、少なくとも２箇所以上（前面１０ｅと上面１０ｃ（若しくは下面１０ｄ、第１側面１０ａ、第２側面１０ｂ））に着脱可能な状態で取り付けることが出来る。
このため、抵抗部２０と冷却部３０を水平方向に配置されるように負荷試験装置１が設置されても、上下方向に配置されるように負荷試験装置１が設置されても、操作を容易に行うことが可能になる。
【００５８】
操作部４７をフレーム１０に取り付けた時に、電源スイッチ４７ａなどが前面１０ｅや上面１０ｃから突出しないように、操作部４７は筐体４７１よりも凹んだ凹部４７３を有し、凹部４７３に電源スイッチ４７ａ、冷却ファンスイッチ４７ｂ、抵抗切替スイッチ４７ｃ、表示部４７ｄが設けられる。
凹部４７３の裏側（電源スイッチ４７ａなどが設けられた表側と逆側）には、コネクタ４８が設けられ、電源スイッチ４７ａと第１端子接続部４１や第２端子接続部４２、冷却ファンスイッチ４７ｂと冷却ファンリレーＲＣ、第１抵抗切替スイッチ４７ｃ１と第１リレーＲ１などの電気的な接続は、当該コネクタ４８を介して行われる。
コネクタ４８を介した着脱により、容易に操作部４７の電気配線が可能になる。
【００５９】
なお、筐体４７１には、第１取り付け穴４９ａの他に、第２取り付け穴４９ｂが設けられる。
【００６０】
設置部材５０は、ラック取り付け金具５１と取っ手５３を有する。
【００６１】
ラック取り付け金具５１は、Ｌ字形状を有し、当該Ｌ字形状を構成する一方の面がネジ止めなどによってフレーム１０の第１側面１０ａと第２側面１０ｂに取り付けられ、当該Ｌ字形状を構成する他方の面がネジ止めなどによってサーバーラック９０に取り付けられる（第１実施形態）。
【００６２】
第１領域１１の一部（前面１０ｅなど）がサーバーラック９０から突出するように、負荷試験装置１はサーバーラック９０に取り付けられ、第１端子接続部４１と第２端子接続部４２は、第１領域１１であって、フレーム１０の側面（第１側面１０ａ若しくは第２側面１０ｂ）におけるサーバーラック９０に取り付けられる位置（ラック取り付け金具５１が取り付けられる位置）よりも前面１０ｅに近い側に配置される。
【００６３】
第２実施形態では、ラック取り付け金具５１は使用されない。
【００６４】
取っ手５３は、コの字型形状を有し、２以上設けられる。
操作部４７がフレーム１０の前面１０ｅに取り付けられる第１実施形態では、第２取り付け穴４９ｂを介して、取っ手５３が前面１０ｅに取り付けられ、負荷試験装置１のサーバーラック９０への着脱に使用される。
操作部４７がフレーム１０の第１領域１１における上面１０ｃに取り付けられる第２実施形態では、第２取り付け穴４９ｂを介さずに、取っ手５３が前面１０ｅに取り付けられ、吸気目的で、底面となるフレーム１０の前面１０ｅと、負荷試験装置１を設置する設置面の間に一定の間隔を設けるために使用される。
【００６５】
ただし、第２実施形態においては、２以上のコの字型形状の取っ手５３に代えて、４以上のキャスター５４が前面１０ｅに取り付けられる形態であってもよい（図９参照）。この場合には、キャスター５４が、吸気目的で、底面となるフレーム１０の前面１０ｅと、負荷試験装置１を設置する設置面の間に一定の間隔を設けるために使用される。
【００６６】
コンピューターサーバーを冷却する空調設備の負荷試験である第１負荷試験を行う場合には、冷却部３０と抵抗部２０が水平方向に配置されるように負荷試験装置１が設置され、抵抗器群（第１抵抗器群Ｇ１〜第８抵抗器群Ｇ８）には第１端子接続部４１やリレー部４５（第１リレーＲ１〜第８リレーＲ８）を介して商用電源からの電力が供給され、フレーム１０の側面（第１側面１０ａ、第２側面１０ｂ）がコンピューターサーバーを保持するサーバーラック９０に取り付けられ、操作部４７はフレーム１０の前面１０ｅに取り付けられ、前面１０ｅの開口と第１領域１１の上面１０ｃの開口と下面１０ｄの開口の少なくとも一つを使って吸気が行われ、フレーム１０の後面１０ｆから水平方向に排気が行われる。
【００６７】
発電機若しくはバッテリーを含む試験対象電源の負荷試験である第２負荷試験を行う場合には、冷却部３０が下で抵抗部２０が上に配置されるように負荷試験装置１が設置され、取っ手５３（若しくはキャスター５４）は、前面１０ｅと負荷試験装置１を設置する設置面の間に一定の間隔を設けるために使用され、抵抗器群（第１抵抗器群Ｇ１〜第８抵抗器群Ｇ８）には第１端子接続部４１やリレー部４５（第１リレーＲ１〜第８リレーＲ８）を介して試験対象電源からの電力が供給され、操作部４７はフレーム１０の上面１０ｃ若しくは下面１０ｄに取り付けられ、前面１０ｅの開口と第１領域１１の上面１０ｃの開口と下面１０ｄの開口の少なくとも一つを使って吸気が行われ、後面１０ｆから上方向に排気が行われる。
【００６８】
第１負荷試験では、コンピューターサーバーが設置されるサーバーラック９０に負荷試験装置１を取り付け、当該コンピューターサーバーを駆動するための商用電源を使って、負荷試験装置１の抵抗部２０に電力供給を行い、当該コンピューターサーバーを駆動させている時と発熱量などが同等の状況下で、当該コンピューターサーバーが設置された部屋の空調装置を動作させ、当該空調装置の冷却能力が十分であるかどうかを確認する。
【００６９】
このとき、コンピューターサーバーと同じように、サーバーラック９０に負荷試験装置１が設置される。
空調設備は、コンピューターサーバーなどの冷却対象物の位置を考慮して吹き出し方向などが設定されているため、コンピューターサーバーが設置された位置で、且つ当該コンピューターサーバーが発する発熱量と同等の発熱を行う負荷試験装置１を用いることで、実際のコンピューターサーバーを動作させている環境に近い状態で空調装置の負荷試験（第１負荷試験）を行うことが可能になる。
【００７０】
商用電源とのケーブル接続を行う第１端子接続部４１や第２端子接続部４２は、第１側面１０ａにおけるラック取り付け金具５１が取り付けられる位置よりも前面１０ｅに近い側に配置され、サーバーラック９０から突出した位置にあるため、負荷試験装置１をサーバーラック９０に取り付けた後でも、容易に当該ケーブル接続を行うことが可能になる。
【００７１】
また、操作部４７は、前面１０ｅだけでなく、他の面（ここでは、上面１０ｃ）にも取り付け可能であり、第１実施形態のように横方向に排気させる設置形態で負荷試験を行うだけでなく、第２実施形態のように上方向に排気させる設置形態で負荷試験（第２負荷試験）を行うことも可能になる。
このとき、取っ手５３若しくはキャスター５４によって、フレーム１０の底面を構成する前面１０ｅと負荷試験装置１の設置面との間から冷却風を取り入れる隙間を設けることが可能になる。
【００７２】
操作部４７の操作は、作業者が直接操作部４７のスイッチを操作することにより行われる形態であってもよいし、外部の通信機器（例えば、所定のソフトウエアをインストールした携帯電話）６９と無線通信を行う通信部５９を設け、通信部５９を介して、通信機器６９からの指示に基づいて、操作部４７を動作させる形態であってもよい（図１０参照）。
この場合、負荷試験装置１は、通信部５９を更に備え、通信部５９は、通信機器６９から、操作部４７のスイッチを動作させる指示に関する信号を受信する。
これにより、負荷試験装置１から離れた位置にいる作業者が、負荷試験装置１の操作部４７を操作することが可能になる。
【００７３】
また、２台以上の負荷試験装置１と、通信機器６９を含む負荷システムを構成し、当該通信機器６９が、当該２台以上の負荷試験装置１と無線通信を行う形態であってもよい。
通信機器６９が、複数の負荷試験装置１の操作部４７を動作させることで、同時に複数の負荷試験装置１を一人の作業者で操作することが可能になる。
特に、複数の負荷試験装置１を設置して行われる空調設備の負荷試験（第１負荷試験）で有効である。
【符号の説明】
【００７４】
１  負荷試験装置
１０  フレーム
１０ａ  第１側面
１０ｂ  第２側面
１０ｃ  上面
１０ｄ  下面
１０ｅ  前面
１０ｆ  後面
１１  第１領域
１２  第２領域
１３  カバー
１３ａ  第１側面カバー
１３ｂ  第２側面カバー
１３ｃ  上面カバー
１３ｄ  下面カバー
２０  抵抗部
３０  冷却部
４０  接続切替部
４１  第１端子接続部
４２  第２端子接続部
４５  リレー部
４７  操作部
４７ａ  電源スイッチ
４７ｂ  冷却ファンスイッチ
４７ｃ  抵抗切替スイッチ
４７ｃ１〜４７ｃ８  第１抵抗切替スイッチ〜第８抵抗切替スイッチ
４７ｄ  表示部
４７１  筐体
４７３  凹部
４８  コネクタ
４９ａ  第１取り付け穴
４９ｂ  第２取り付け穴
５０  設置部材
５１  ラック取り付け金具
５３  取っ手
５４  キャスター
５９  通信部
６９  通信機器
９０  サーバーラック
Ｇ１〜Ｇ８  第１抵抗器群〜第８抵抗器群
Ｒ１〜Ｒ８  第１リレー〜第８リレー
ＲＣ  冷却ファンリレー
Ｒｅ  抵抗器
【図１】
0006470231.tif 000002
【図２】
0006470231.tif 000003
【図３】
0006470231.tif 000004
【図４】
0006470231.tif 000005
【図５】
0006470231.tif 000006
【図６】
0006470231.tif 000007
【図７】
0006470231.tif 000008
【図８】
0006470231.tif 000009
【図９】
0006470231.tif 000010
【図１０】
0006470231.tif 000011